(57)【要約】      （修正有）【課題】メガネのフロント部を鼻の両脇に当てて支える為の着脱可能な鼻当てパットの取付け構造を提供する。【解決手段】鼻当てパット１０は基部１４と該基部から外方向へ広がって延びる脚１３を有し、脚１３は軟質樹脂で構成すると共に内面１５は鼻に接する為に滑らかな曲面を形成し、フロント部１の背面側には溝を形成し、そして基部１４を該溝に嵌めて外れ落ちないように係止する。【選択図】図３
0003158560.tif 000002
【実用新案登録請求の範囲】
【請求項１】
メガネのフロント部を鼻の両脇に当てて支える為の鼻当てパットにおいて、基部と該基部から外方向へ広がって延びる両脚を有し、脚は軟質樹脂で構成すると共に内面は鼻に接する為に滑らかな曲面を形成し、基部はフロント部の背面側に形成した溝に嵌ると共に外れ落ちないように係止手段を設けたことを特徴とするメガネの鼻当てパット。
【請求項２】
上記係止手段として、硬質樹脂で構成した基部先端にフロント部の溝に設けた係合ピンに係合することが出来る係合溝を形成した請求項１記載のメガネの鼻当てパット。
【請求項３】
上記係止手段として、バネ性に優れた金属又は弾性に優れた樹脂で構成した基部に、フロント部の溝に設けた係止部に係止することが出来るツメを形成した請求項１記載のメガネの鼻当てパット。
【請求項４】
メガネのフロント部を鼻の両脇に当てて支える為の鼻当てパットの取付け構造において、該鼻当てパットは基部と該基部から外方向へ広がって延びる両脚を有し、脚は軟質樹脂で構成すると共に内面は鼻に接する為に滑らかな曲面を形成し、フロント部の背面側には溝を形成し、そして上記基部を該溝に嵌めて外れ落ちないように係止したことを特徴とするメガネの鼻当てパットの取付け構造。
【請求項５】
上記基部先端に係合溝を形成し、フロント部に形成した溝には係合溝が係合する係合ピンを設けた請求項４記載のメガネの鼻当てパットの取付け構造。
【請求項６】
上記基部をバネ性に優れた金属又は弾性に優れた樹脂で構成すると共に該基部にはツメを設け、フロント部に形成した溝には該ツメが係止する係止部を設けた請求項４記載のメガネの鼻当てパットの取付け構造。
【考案の詳細な説明】
【技術分野】
【０００１】
本考案はメガネのフロント部を支えることが出来る鼻当てパット及び鼻当てパットの取付け構造に関するものである。
【背景技術】
【０００２】
メガネフレームはレンズを取付けるフロント部とツルから成り、ツルはフロント部の両側に継手を介して折畳み出来るように取付けられている。図７は従来の一般的なメガネフレームを表している外観図であり、フロント部（イ）はレンズが嵌る両リム（ロ）、（ロ）を有し、該リム（ロ）、（ロ）は連結部材（ハ）によって左右対称と成るように連結されている。
【０００３】
そして、リム（ロ）、（ロ）の外側にはＬ形をしたヨロイ（ニ）、（ニ）がロウ付けされ、該ヨロイ（ニ）、（ニ）には蝶番（ホ）、（ホ）を介してツル（ヘ）、（ヘ）が折畳み出来るように取付けられている。又、フロント部（イ）の中央には鼻当てパット（ト）、（ト）が取付けられ、メガネを掛けた際にフロント部（イ）は上記鼻当てパット（ト）、（ト）が鼻の両脇に当って支えられる。
【０００４】
ところで、上記鼻当てパット（ト）、（ト）はリム（ロ）、（ロ）に基端がロウ付けされて延びる脚の先端に取付けられ、該鼻当てパット（ト）、（ト）は多少のアガキ（ガタ）を有していて、鼻の両脇にフィットするようにその向きを変えることが出来る。同図に示すように金属製メガネフレームの場合には、脚をロウ付けし、該脚を適当に湾曲して鼻当てパット（ト）、（ト）が鼻にフィットするように調整することが出来るが、樹脂製のメガネフレームであれば鼻当てパットはフロント部を一体成形される。
【０００５】
従って、メガネを掛けた際の鼻当てパットは鼻の両脇にフィットせず、その為にフロント部を所定の位置に安定して支持することが出来ない場合も多い。
特開平１０−６２７２５号に係る「メガネフレーム及びその鼻当てパット」は、位置ズレすることなく、メガネを安定して着用することが出来るようにしたものであり、メガネフレームは弾性変形に富む材料を材質とし、鼻当てパットは概略半円弧状に湾曲した板状のアーム先端に一体成形され、鼻当てパットの当接面は内側後方を向いて形成している。
【０００６】
特開２００９−２１０９５２号に係る「樹脂製メガネフレーム用のノーズパッド」は、長手方向を向かって長孔が形成されており、該長孔がほぼ上下方向を向くように樹脂製メガネフレームの鼻当て部に固定される樹脂製の台座ブロックと、前記長孔に挿入される枢支軸が外側に植設されているノーズパッド本体とからなり、前記枢支軸を前記長孔に挿入することにより、メガネフレームの鼻当て部に対するノーズパッド本体の開き角度が調整出来るようになっている。
【０００７】
【特許文献１】特開平１０−６２７２５号に係る「メガネフレーム及びその鼻当てパット」
【特許文献２】特開２００９−２１０９５２号に係る「樹脂製メガネフレーム用のノーズパッド」
【考案の開示】
【考案が解決しようとする課題】
【０００８】
このように、樹脂製のメガネフレームのフロント部に設けている鼻当てパットの取付け構造は色々存在しているが、その取付け構造は複雑であり、取外して新たな鼻当てパットと簡単に交換することは出来ない。本考案が解決しようとする課題はこの問題点であり、メガネを掛ける人の鼻にフィットする鼻当てパットを着脱可能に取付けることが出来る鼻当てパット及び該鼻当てパットの取付け構造を提供する。
【課題を解決するための手段】
【０００９】
本考案が対象とする鼻当てパットは概略Ｕ型を成し、先端が外側へ広がる両脚の内面は鼻の両脇に当るようになる。すなわち、鼻を両脚にて挟み込むことが出来る形状としている。そして、両脚が繋がる基部はフロント部の中央に形成した溝に嵌合して取り付けられるが、溝から外れ落ちないように何らかの係止手段を設けている。
【００１０】
ここで、係止手段の具体的な構造は限定しないことにし、又、鼻当てパットが取り付けられるメガネのフロント部形態も自由である。そして、概略Ｕ型の鼻当てパットは樹脂製であるが、両脚部は肌当りが良いように軟質樹脂とし、基部は硬質樹脂又はバネ性に優れた金属や弾性に優れた樹脂で構成され、溝に設けた係止部に係止する係止手段を備えている。すなわち、フロント部の溝に嵌って安定して取付けられるように基部を構成している。
【考案の効果】
【００１１】
本考案に係る鼻当てパットは概略Ｕ型を成し、両脚にて鼻を挟むように当ることでフロント部が安定して支持される。そして、脚は軟質樹脂が用いられている為に肌当りは良好となる。しかし、基部は硬質樹脂又はバネ性のある金属であり、フロント部に形成した溝に安定して嵌り、外れ落ちないように係止することが出来る。
【００１２】
そして、本発明の鼻当てパットは基部が溝に嵌って取付けられるが、係止した状態であることから取外すことも可能であり、色々な形状の鼻にフィットする鼻当てパットを選択して取付けることが出来る。又、鼻当てパットが汚れた場合には自分で新たなものと簡単に交換することが可能である。本考案の鼻当てパットはフロント部の溝に基部を嵌合して取付けることが出来る構造であり、従来のように脚をロウ付けして取付ける構造に比較して簡単であり、取付け工数は小さくなる。
【図面の簡単な説明】
【００１３】
【図１】本考案の鼻当てパットを備えたメガネ。
【図２】鼻当てパットの基部を嵌めて取付けることが出来るフロント部背面に形成した溝。
【図３】本考案の鼻当てパットの具体例。
【図４】本考案の鼻当てパットを備えたメガネ。
【図５】本考案の鼻当てパットの具体例。
【図６】本考案の鼻当てパットを備えたメガネ。
【図７】従来の一般的なメガネフレーム。
【考案を実施するための形態】
【００１４】
図１は本考案に係る鼻当てパットを取付けたメガネを示す実施例である。同図の１はフロント部、２はツルを表し、ツル２，２はフロント部１の両側に継手３，３を介して折畳み出来るように取付けられている。ところで、同図に示すメガネのフロント部１はワタリ４と２枚のレンズ５，５で構成し、このレンズ５，５はワタリ４の中央部６に取付けられている。
【００１５】
すなわち、ワタリ４の中央部６の両側には止着片７，７を外方向へ延ばし、この止着片７，７にレンズ５，５をネジ止めしている。しかも、該レンズ５，５は中央側だけがネジ止めされた片持ち型式の取付け構造とし、外側はフリーな状態で支持されている。ただし、１本のネジ８にてレンズ５の内側をネジ止めしても自重にて回転する為に、該ネジ８の近くに止着片７から起立したピン９をレンズに貫通した穴に嵌めてネジ止めしている。
【００１６】
そして、フロント部１を構成するワタリ４の両先端に設けた継手３，３を介してツル２，２が取付けられ、該ツル２，２は折畳みすることが出来る。このように、レンズ５，５をワタリ４の中央部６に取付け、ワタリ４の先端に継手３，３を介してツル２，２を取付けたフレーム構造とすることで、ツル２，２を押し開く際にワタリ４に発生する曲げモーメントはレンズ５，５に直接作用しない。
【００１７】
従来の一般的な縁なしメガネであれば、両レンズを連結部材によって直接ネジ止めし、又レンズの外側にヨロイを直接ネジ止めし、そして該ヨロイに継手を介してツルが折畳み出来るように取付けた構造としている。この縁なしメガネのフレーム構造では、ツルを外方向へ押し開く際の曲げモーメントは直接レンズに作用してレンズの破損を招くが、図１に示すようなフレーム構造とすることで、レンズに作用する無理な応力を緩和する効果がある。
【００１８】
勿論、本発明は鼻当てパットを対象としたもので、メガネのフロント部構造に関しては自由である。ところで、ワタリ４の中央部６の裏側（背面側）にはフロント部１を支える為の鼻当てパット１０が取付けられている。図２はワタリ中央部６の背面図を示しているが、背面側には横長の長方形溝１１が開口として形成され、該溝１１の中央には係合ピン１２が上下方向を向いて設けられている。ただし、溝１１の高さ寸法は一定であるが、幅寸法は奥側が小さく成っている。
【００１９】
ところで、この溝１１に鼻当てパット１０の基部が嵌合して取付けられ、基部先端に設けた係合溝に係合ピン１２が係合して外れないように成っている。図３は本考案に係る鼻当てパット１０を示す具体例であり、２本の脚１３，１３は基部１４から斜め外方向へ延び、脚１３，１３の内面１５は鼻の両脇に当るように滑らかな曲面を形成している。そして、脚１３，１３は軟質樹脂で構成され、これに対して基部１４は硬質樹脂から成っている。又、基部１４の先端中央には係合溝１６が形成されている。
【００２０】
鼻当てパット１０の基部１４は図２に示す溝１１に嵌り、溝１１の奥に設けている係合ピン１２は係合溝１６に係合することが出来る。該係合溝１６は図３に示しているように入口は僅かに狭く成っている為に、該係合溝１６に係合した係合ピン１２は鼻当てパット１０を止着して外れ落ちないようにしている。しかし、脚１３，１３を摘んで引くならば、係合溝１６は係合ピン１２から離脱して鼻当てパット１０をフロント部１から取外すことが出来る。このように、本考案の鼻当てパット１０は自由に着脱することが出来る取付け構造と成っている。
【００２１】
図４は本考案に係る鼻当てパット１７を備えたメガネを示す他の実施例である。同図に示すメガネは両リム１８，１８が連結部材１９によって左右対称に連結し、リム１８，１８の外側にはヨロイ２０，２０が取着され、そして該ヨロイ２０，２０にはツル２１，２１が継手２２，２２を介して折畳み出来るように取付けられている。
【００２２】
すなわち、両リム１８，１８、連結部材１９、及びヨロイ２０，２０にてフロント部１が構成され、そして連結部材１９の背面側には鼻当てパット１７が取付けられている。前記図１に示すメガネのフロント部１の形態とは違っているが、鼻当てパット１７の取付け構造に関して共通し、連結部材１９の背面側に形成した溝に基部が嵌って取付けられ、該基部に設けたツメが溝の係止部に係止して外れないようにしている。
【００２３】
図５は本考案の鼻当てパット１７を示す他の具体例であり、両脚２３，２３と基部２４から成っている。基部２４はバネ性に優れた金属製、又は弾性に優れた樹脂製であって、脚２３，２３は軟質樹脂からなって内面２５は滑らかに湾曲した曲面を形成している。そこで、連結部材１９の背面側に形成した溝に基部２４が嵌り、溝の両側面に形成した係止部に基部２４の両側に設けたツメ２６，２６が係止することが出来る。鼻当てパット１７の基部２４を溝に押込むならば、基部２４は弾性変形してツメ２６，２６は溝に設けた係止部に係止して外れないように成る。
【００２４】
図６は本考案に係る鼻当てパット１７を備えたメガネを示す更なる別の実施例である。同図に示すメガネフレームは樹脂製であり、両リム３１，３１が連結部２７によって左右対称に繋がれ、リム３１，３１の外側にはヨロイ部２８，２８が形成されている。そして該ヨロイ部２８，２８とツル２９，２９は継手３０，３０を介して折畳み出来るように取付けられている。
【００２５】
すなわち、両リム３１，３１、連結部２７、及びヨロイ部２８，２８にてフロント部１が一体成形され、そして連結部２７の背面側には鼻当てパット１７が取付けられている。前記図４に示すメガネのフロント部１の形態とは違っているが、鼻当てパット１７は同じであり、その取付け構造も同じに成っている。連結部２７の背面側に形成した溝に基部が嵌って取付けられ、該基部に設けツメが溝の係止部に係止して外れないようにしている。
【符号の説明】
【００２６】
１  フロント部
２  ツル
３  継手
４  ワタリ
５  レンズ
６  中央部
７  止着片
８  ネジ
９  ピン
10  鼻当てパット
11  溝
12  係合ピン
13  脚
14  基部
15  内面
16  係合溝
17  鼻当てパット
18  リム
19  連結部材
20  ヨロイ
21  ツル
22  継手
23  脚
24  基部
25  内面
26  ツメ
27  連結部
28  ヨロイ部
29  ツル
30  継手
31  リム
【図１】
0003158560.tif 000003
【図２】
0003158560.tif 000004
【図３】
0003158560.tif 000005
【図４】
0003158560.tif 000006
【図５】
0003158560.tif 000007
【図６】
0003158560.tif 000008
【図７】
0003158560.tif 000009